(57)【要約】【課題】スイッチの操作性を低減させること無く、スイッチの小型化を図る。【解決手段】複合スイッチ装置１０は、回転操作される回転式スイッチ部１４と回転式スイッチ部１４の内側に設けられる押下式スイッチ部１２とが一体化されている。この複合スイッチ装置１０は、押下式スイッチ部１２のプッシュノブ２０に設けられる照射部１６を照射可能な光源２２を有する。そして、押下式スイッチ部１２は、押下操作を受け付けるプッシュノブ２０と、プッシュノブ２０を水平方向に伸びる回転軸３０を中心として回動自在に支持する支持部２６と、プッシュノブ２０の回動に応じて、基板１９上に設けられたプッシュスイッチ４２を押下する押下部材３４と、を有する。【選択図】図２
2005141999.tif 000002
【特許請求の範囲】
【請求項１】
回転操作される回転式スイッチ部と回転式スイッチ部の内側に設けられる少なくとも１以上の押下式スイッチ部とを含む多種類のスイッチ部を一体化した複合スイッチ装置であって、押下式スイッチ部のスイッチノブ表面に設けられる照射部を照射可能な光源を有する複合スイッチ装置において、
押下式スイッチ部は、
押下操作を受け付けるとともに、その表面に光源により照射される照射部を備えたスイッチノブと、
スイッチノブを水平方向に伸びる回転軸を中心として回動自在に支持する支持部と、
スイッチノブの回動に応じて、基板上に設けられたプッシュスイッチを押下する押下部と、
を有することを特徴とする複合スイッチ装置。
【請求項２】
請求項１に記載の複合スイッチ装置であって、
支持部は、
基板に対して固定されたノブホルダと、
ノブホルダに固定される水平方向の回転軸と、
回転軸を中心としてスイッチノブを回動自在に支持する支持部材と、
を有することを特徴とする複合スイッチ。
【請求項３】
請求項２に記載の複合スイッチ装置であって、
回転軸は、上面から見た場合に、押下式スイッチ部のスイッチノブの端部近傍を横断する位置に設けられることを特徴とする複合スイッチ装置。
【請求項４】
請求項２に記載の複合スイッチ装置であって、
回転軸は、上面から見た場合に、押下式スイッチ部のスイッチノブのほぼ中央を横断する位置に設けられることを特徴とする複合スイッチ装置。
【請求項５】
請求項１、または、２に記載の複合スイッチ装置であって、
押下式スイッチ部は、回転式スイッチ部の内側に複数設けられることを特徴とする複合スイッチ装置。
【請求項６】
請求項５に記載の複合スイッチ装置であって、
互いに隣接する押下式スイッチ部のうち、少なくとも一方の押下式スイッチ部の回転軸は、他方の押下式スイッチ部との境界近傍に位置することを特徴とする複合スイッチ装置。
【請求項７】
請求項６に記載の複合スイッチ装置であって、
互いに隣接する押下式スイッチ部の回転軸はいずれも、互いに隣接する押下式スイッチ部との境界近傍に位置することを特徴とする複合スイッチ装置。
【請求項８】
請求項１に記載の複合スイッチ装置であって、
支持部は、
基板に対して固定されたノブホルダと、
ノブホルダとプッシュノブとを接続するとともに、スイッチノブを回動自在に支持するヒンジ部と、
を有し、前記ヒンジ部は、
ノブホルダに固定される基端部と、
基端部とスイッチノブとを接続する部材であって、弾性変形により撓みを生じる撓み部と、
を有することを特徴とする複合スイッチ装置。
【発明の詳細な説明】
【技術分野】
【０００１】
本発明は、少なくとも押下式スイッチと回転式スイッチとが一体化された複合スイッチ装置に関する。
【背景技術】
【０００２】
近年、車両に搭載される電子機器や家電製品等は、多様化、多機能化に伴い省スペース化が望まれている。また、それに伴い、この各電子機器等を操作する複数のスイッチ群も省スペース化が望まれている。そこで、従来から、複数のスイッチを一体化した複合スイッチが提案されている。
【０００３】
ところで、これらスイッチ群は、夜間でも良好な視認性を提供できるように、照明装置が内蔵されていることが多い。すなわち、夜間であっても、各スイッチの機能や操作状況がわかるように、スイッチノブの表面に、スイッチの機能を視覚的に理解できるような文字や図柄、スイッチの操作状況（ＯＮ／ＯＦＦなど）が分かるインジケータなどを形成し、これらを照明する。これにより夜間であっても各スイッチの機能や操作状況を理解することができ、操作性を向上させることができる。
【０００４】
このような、照明装置が内蔵された複合スイッチ装置として、特許文献１には、プッシュスイッチ部の周囲にダイヤルスイッチ部を配置した複合スイッチ装置が開示されている。これは、押下可能なスイッチノブの下方に当該スイッチノブ表面に配置された意匠プレートの照明を行う光源を有するプッシュスイッチ部と、前記スイッチノブの周囲に回動自在に配置されたダイヤルノブと当該ダイヤルノブと共に回転し前記意匠プレートに対するダイヤルノブの回転度合いを示すインジケータを照明する光源とを有するダイヤルスイッチ部と、を有している。このスイッチ装置によれば、各スイッチ部の情報（機能や操作状況）を光らせることができ、夜間でも、その情報を容易に確認できる。そして、これによりスイッチの視認性、ひいては、操作性を向上させることができる。
【０００５】
【特許文献１】特開２０００−１６０５８号公報
【発明の開示】
【発明が解決しようとする課題】
【０００６】
ところで、この複合スイッチ装置のプッシュスイッチ部は、プッシュノブを垂直方向にストロークさせることにより、基板上に設けられたプッシュスイッチを押下する。そのため、プッシュノブの垂直移動をガイドするための垂直ガイド機構が必要となる。このガイド機構は、通常、スイッチノブの下方に設けられる略円筒である。この略円筒は、プッシュノブ全面を照射する光源の周囲であって、プッシュスイッチ部の周囲に設けられるリングダイヤル式スイッチ部の内側に設けられる。そして、この略円筒は、リングダイヤル式スイッチ部との関係上、比較的、小径とならざるを得ない。つまり、プッシュノブを垂直移動させるためには、光源の周囲に比較小径の略円筒を設けなければならない。
【０００７】
しかし、かかる略円筒を設けると、光源からの光の広がりが制限されてしまい、プッシュノブの全面を照射することができない。プッシュノブの全面を照射するためには、プッシュノブと光源との距離を離さなければならず、結果として、複合スイッチ装置全体が大型化してしまう。
【０００８】
そこで、本発明では、スイッチの操作性を低減させることなく、スイッチの小型化を可能とする複合スイッチ装置を提供することを目的とする。
【課題を解決するための手段】
【０００９】
本発明の複合スイッチ装置は、回転操作される回転式スイッチ部と回転式スイッチ部の内側に設けられる少なくとも１以上の押下式スイッチ部とを含む多種類のスイッチ部を一体化した複合スイッチ装置であって、押下式スイッチ部のスイッチノブ表面に設けられる照射部を照射可能な光源を有する複合スイッチ装置において、押下式スイッチ部は、押下操作を受け付けるとともに、その表面に光源により照射される照射部を備えたスイッチノブと、スイッチノブを水平方向に伸びる回転軸を中心として回動自在に支持する支持部と、スイッチノブの回動に応じて、基板上に設けられたプッシュスイッチを押下する押下部と、を有することを特徴とする。
【００１０】
好適な態様では、支持部は、基板に対して固定されたノブホルダと、ノブホルダに固定される水平方向の回転軸と、回転軸を中心としてスイッチノブを回動自在に支持する支持部材と、を有する。
【００１１】
このとき、好適な態様では、回転軸は、上面から見た場合に、押下式スイッチ部のスイッチノブの端部近傍を横断する位置に設けられる。別の好適な態様では、回転軸は、上面から見た場合に、押下式スイッチ部のスイッチノブのほぼ中央を横断する位置に設けられる。
【００１２】
他の好適な態様では、押下式スイッチ部は、回転式スイッチ部の内側に複数設けられている。その場合、望ましくは、互いに隣接する押下式スイッチ部のうち、少なくとも一方の押下式スイッチ部の回転軸は、他方の押下式スイッチ部との境界近傍に位置する。別の望ましい態様では、互いに隣接する押下式スイッチ部の回転軸はいずれも、互いに隣接する押下式スイッチ部との境界近傍に位置する。
【００１３】
他の好適な態様では、支持部は、基板に対して固定されたノブホルダと、ノブホルダとプッシュノブとを接続するとともに、スイッチノブを回動自在に支持するヒンジ部と、を有し、前記ヒンジ部は、ノブホルダに固定される基端部と、基端部とスイッチノブとを接続する部材であって、弾性変形により撓みを生じる撓み部と、を有する。
【発明の効果】
【００１４】
本発明によれば、スイッチの操作性を低減させることなく、スイッチの小型化が可能となる。
【発明を実施するための最良の形態】
【００１５】
以下、図面を参照して本発明の実施の形態である複合スイッチ装置について説明する。図１に複合スイッチ装置１０の上面図を示す。この複合スイッチ装置１０は、車両に搭載される空気調和装置（以下、「エアコン」という）の操作スイッチに適用した一例であり、押下式スイッチ部１２を押下することによりエアコンの自動運転が実行される。また、その周囲に設けられた回転式スイッチ部１４を回転操作することにより、エアコンの設定温度を調整することができる。
【００１６】
押下式スイッチ部１２の表面には、スイッチの機能を表示する文字および絵などからなる照射部１６が形成されている。この照射部１６は、透光性樹脂などからなり、押下式スイッチ部１２の内部から照射することにより、文字および絵のみが光るようになっている。これにより、夜間走行中でも、そのスイッチの機能を確認することができ、操作性を向上させることができる。本実施の形態では、照射部１６には、押下式スイッチ部１２の機能を示す「ＰＵＳＨ−ＡＵＴＯ」という文字列と、回転式スイッチ部１４で選択可能な項目であるエアコンの設定温度とが透光性樹脂などで形成されている。
【００１７】
また、押下式スイッチ部１２の表面には、その操作状況を示すインジケータ１８も形成されている。これは、導光レンズなどで形成されており、押下式スイッチ部１２の内部に設けられたインジケータ用光源で照射される。この照射は、押下式スイッチ部１２の操作状況（ＯＮ／ＯＦＦ）に応じて行われる。したがって、操作者は、このインジケータ１８の点灯状況を見ることにより、現在の操作状況が分かるようになっている。
【００１８】
次に、このスイッチ装置１０の構成について図２を用いて説明していく。図２は、図１におけるＡ−Ａ断面図である。
【００１９】
複合スイッチ装置１０は、上述したように、押下式スイッチ部１２と回転式スイッチ部１４とが一体化されたものである。押下式スイッチ部１２は、押下操作を受け付けるスイッチノブであるプッシュノブ２０とこれを支持する支持部２６、および、基板１９上に設けられたプッシュスイッチ４２や光源２２，２４などを有する。
【００２０】
押下式スイッチ部１２のプッシュノブ２０は、その表面に照射部１６が形成されている。この照射部は、上述したように、光らせたい部分のみを透光性樹脂などで形成したものである。また、操作状況を示すためのインジケータ１８も形成されている。
【００２１】
プッシュノブ２０は、支持部２６により回転自在に支持されている。支持部２６は、基板に固定されたノブホルダ３２と、これに固定された水平方向の回転軸３０、および、回転軸３０を中心にプッシュノブ２０を回転自在に支持する支持部材２８とから構成されている。
【００２２】
ノブホルダ３２は、基板１９上に固定されており、回転式スイッチ部１４を構成するシャトルスイッチ５６の内側に形成されている。ノブホルダ３２は、径の異なる２つの円筒形を合わせた形状となっている。すなわち、基板１９に近い位置では、シャトルスイッチ５６に干渉しないように、小径の円筒形である小径部４０が形成されている。また、シャトルスイッチ５６より高い位置では、大径の円筒形状である大径部３６が形成されている。この小径部４０と大径部３６とは、段差部３８により接続されている。
【００２３】
このとき、後述するようにプッシュノブ２０は、回転軸３０を中心とした回転運動を行うため、垂直移動のためのガイド機構を設ける必要はない。したがって、ノブホルダ３２の小径部４０は、シャトルスイッチ５６より僅かに高ければよい。
【００２４】
プッシュノブ２０には水平方向に伸びる回転軸３０が固定されている。この回転軸３０は、ノブホルダ３２の上端部近傍、すなわち、大径部３６の側壁に固定されている。また、この回転軸３０は、上面から見た場合に、プッシュノブ２０の端部近傍を横断する位置に設けられている（図１参照）。
【００２５】
プッシュノブ２０は、この回転軸３０を中心に回転自在である支持部材２８により支持されている。支持部材２８は、回転軸３０の両端近傍に設けられるもので、その上端はプッシュノブ２０の下面に接続されている。また、そのほぼ中央には、回転軸３０を貫通させるための孔部２８ａが設けられており、回転軸３０が挿通されている。この回転軸３０の挿通により、支持部材２８は、回転軸３０を中心として回転自在となっている。そして、この支持部材２８に接続されたプッシュノブ２０も、回転軸３０を中心として回転自在となっている。
【００２６】
プッシュノブ２０の下面には、プッシュスイッチ４２を押下するための押下部材３４が形成されている。これは、垂直下方に伸びる棒状部材であり、基板上に形成されたプッシュスイッチ４２に対応する位置に設けられる。そして、プッシュノブ２０の回転に応じて、プッシュスイッチ４２を押下できるようになっている。この押下部材３４は、回転軸３０から比較的離れた位置、すなわち、回転軸３０を中心とした回転運動により一定のストロークが得られる位置に設けられる。
【００２７】
基板１９上には、上述したように、プッシュスイッチ４２と、２種類の光源２２，２４とが設けられている。プッシュスイッチ４２は、この押下式スイッチ部１２が提供する機能のＯＮＮ／ＯＦＦを制御するスイッチである。本実施の形態では、このプッシュスイッチ４２によりエアコンの自動運転のＯＮ／ＯＦＦが制御される。
【００２８】
光源は、プッシュノブ表面の照射部１６を照射する表示用光源２２とインジケータ１８を照射するインジケータ用光源２４の２種類が設けられている。
【００２９】
表示用光源２２は、ノブホルダ３２の小径部４０のほぼ中心となる位置に設けられており、車両の車幅灯など、夜間にＯＮ状態となる他の機器と連動して点灯する。この表示用光源２２は、後述するように所定の広がりをもって、プッシュノブ２０のほぼ全面を照射する。これにより透光性樹脂などからなる照射部１６に光が透過し、機能を表す文字や絵などを光らせることができる。そして、夜間であっても、良好な視認性、ひいては、良好な操作性を提供することができる。
【００３０】
一方、インジケータ用光源２４は、小径部４０の外側に設けられており、プッシュスイッチ４２がＯＮ状態となることにより点灯される。このインジケータ用光源２４の光は、インジケータ１８に接続された導光レンズ４４を介して伝達される。導光レンズ４４は、その周囲を遮光壁４６で覆われており、表示用光源２２の光に影響されること無く、インジケータ用光源２４の光を伝達できるようになっている。インジケータ用光源２４は、プッシュスイッチ４２の操作状況と連動して点灯するため、操作者はインジケータ１８の点灯状況を見ることにより、現在の操作状況（ＯＮ／ＯＦＦ）を確認することができる。
【００３１】
回転式スイッチ部１４は、回転操作を受け付けるスイッチノブであるダイヤルノブ５０、基板１９上に設けられたシャトルスイッチ５６、および、ダイヤルノブ５０の回転をシャトルスイッチ５６に伝達するノブホルダ５４とを有する。
【００３２】
シャトルスイッチ５６は、基板１９上に固定された固定接点５８とその固定接点５８上を回転摺動可能な可動接点６０とを有している。固定接点５８は、押下式スイッチ部１２のノブホルダ３２の外側に配置された環形状となっている。その内周側には、垂直壁からなる円筒部５８ａを備えている。この円筒部５８ａの一部の先端には、係止爪５８ｂが形成されており、これにより、固定接点５８が押下式スイッチ部１２のノブホルダ３２に係止されている。
【００３３】
可動接点６０は、固定接点５８の上面かつ円筒部５８ａの外側に配置された環形状である。可動接点６０の内側壁の一部には、固定接点５８の円筒部５８ａに接触可能な接点部６０ａが形成されている。また、この可動接点６０は、ダイヤルノブ５０の回転に応じて、固定接点５８の上面を摺動回転可能になっている。この摺動回転により、可動接点６０の接点部６０ａと固定接点５８との接触位置が変更される。この接触位置の変化によりエアコンの設定温度が変更される。
【００３４】
ダイヤルノブ５０は、プッシュノブ２０の周囲に配置される環状ノブである。これは、複合スイッチ装置１０の垂直中心軸を中心として回転自在となっている。このダイヤルノブ５０には、係止爪５４ａによりノブホルダ５４が接続されている。ノブホルダ５４は、ダイヤルノブ５０と可動接点６０とを接続している。そして、ダイヤルノブ５０に加えられた回転を可動接点６０に伝達する。これにより、可動接点６０が固定接点５８に対して摺動回転し、接点部６０ａの接触位置が変化する。
【００３５】
次に、この複合スイッチ装置１０の動きについて説明する。この複合スイッチ装置１０では、通常、表示用光源２２が車幅灯などと連動して点灯し、プッシュノブ２０表面に形成された照射部１６を照射する。
【００３６】
このとき、本実施の形態では、プッシュノブ２０を垂直移動させるための垂直ガイド機構が不要のため、ノブホルダ３２の小径部４０を低くすることができる。そのため、ノブホルダ３２の小径部４０が表示用光源２２の光の広がりを阻害しない。これについて、図３を用いて説明する。図３は、垂直ガイド機構がない場合とある場合での表示用光源２２の光の広がりの違いを模式的に示した図である。
【００３７】
垂直ガイド機構６４を設けた場合は、図３（Ｂ）に示すように、ノブホルダ３２は、プッシュスイッチ４２の上方に配置される。また、小径部４０の外側には、垂直移動をガイドするための垂直ガイド機構６４を設ける必要がある。ノブホルダ３２の安定した垂直移動を実現するためには、この垂直ガイド機構６４は、ある程度の高さを有する必要がある。そして、これに伴い、小径部４０も比較的高いものとなってしまう。この場合、基板１９上に設けられた表示用光源２２から発せられる光Ｓの一部は、小径部４０の側壁により遮られてしまう。言い換えれば、光Ｓの広がりの角度は、小さいものとなる。そのため、プッシュノブ２０のほぼ全面を照射するために、プッシュノブ２０を比較的高い位置（表示用光源２２から離れた位置）に設けなければならない。したがって、複合スイッチ装置１０全体の高さが大きくなってしまい、複合スイッチ装置の小型化という目的を達成できない。
【００３８】
一方、本実施の形態では、図３（Ａ）に示すように、垂直ガイド機構を有さないため、ノブホルダ３２の小径部４０は、シャトルスイッチ（図示せず）より僅かに高くなっていればよい。したがって、小径部４０は、比較的低く、また、ノブホルダ３２全体も低いものとなる。この場合、基板１９上に設けられた表示用光源２２から発せられる光Ｓは、小径部４０によって遮られることなく、広がることができる。そのため、プッシュノブ２０を比較的低い位置（表示用光源２２と近い位置）に設けても、プッシュノブ２０のほぼ全面を照射することができ、その表面に形成された照射部１６を光らせることができる。
【００３９】
このように、本実施の形態では、プッシュノブ２０を垂直移動させないため、垂直ガイド機構が不要となり、結果として複合スイッチ装置１０全体を薄化することができる。
【００４０】
次に、プッシュノブ２０を押下した際の動きについて説明する。プッシュノブ２０を押下した場合、プッシュノブ２０は、回転軸３０を中心として回転移動する。この回転移動に伴って、押下部材３４の先端位置は、下方に移動し、プッシュスイッチ４２を押下する。
【００４１】
このとき、本実施の形態によれば、従来の垂直ガイド機構にそった垂直移動に比べ、プッシュノブ２０のガタを低減できる。従来、垂直移動させる場合は、垂直ガイド機構に沿って移動させていたが、その際、ノブホルダと垂直ガイド機構との間の隙間量（公差）がきわめて重要となっていた。すなわち、隙間量が狭い場合、プッシュノブの垂直移動が阻害され、隙間量が多い場合、プッシュノブの移動に際してガタが生じていた。しかし、本実施の形態では、水平方向に伸びる回転軸３０によりプッシュノブ２０を支持するため、隙間量（この場合は、回転軸３０と支持部材２８の孔部２８ａとの隙間量）に左右されにくく、ガタが生じにくい。
【００４２】
プッシュスイッチ４２が押下されることにより、エアコンの自動運転が開始される（すでに自動運転開始されていた場合は、自動運転終了となる）。また、プッシュスイッチ４２の押下と連動してインジケータ用光源２４が点灯する（既に点灯していた場合は、消灯となる）。このインジケータ用光源２４の光は、導光レンズ４４を介してプッシュノブ２０表面のインジケータ１８に伝達される。したがって、操作者は、このインジケータ１８の点灯状況を見ることにより、押下式スイッチ部１２の操作状況を確認できる。
【００４３】
一方、エアコンの設定温度を調整する場合は、ダイヤルノブ５０を適宜、回転操作する。これにより、可動接点６０が固定接点５８に対して摺動回転し、接点部６０ａの接触位置が変化する。この接触位置の変化により、設定温度が変更される。
【００４４】
以上、説明したように、本実施の形態によれば、操作性を低下させることなく、装置の小型化を実現できる。
【００４５】
なお、本実施の形態では、回転軸３０は、上面から見た場合に、プッシュノブ２０の端部近傍を横断する位置に設けたが、これに限定されるものではない。例えば、図４に示すように、プッシュノブ２０のほぼ中央を横断する位置に設けてもよい。
【００４６】
図４は、回転軸３０をプッシュノブ２０のほぼ中央を横断する位置に設けた場合の概略上面図（図４（Ａ））、および、その概略Ｃ−Ｃ断面図（図４（Ｂ））である。なお、簡略化のため、図においては、一部の部材のみを図示している。回転軸３０をプッシュノブ２０のほぼ中央を横断する位置に設けた場合、プッシュノブ２０は、回転軸３０を中心として、その両側が押下可能となる。すなわち、いわゆるシーソーの動きをする。したがって、回転軸３０を中心線として、その両側にプッシュスイッチ４２ａ，４２ｂが設けられる。また、押下部材３４ａ，３４ｂも、それぞれ対応する位置に設けられる。
【００４７】
そして、上面からみてプッシュノブ２０の上側の領域を押下した場合、上側に設けられたプッシュスイッチ４２ａが押下される。また、上面からみてプッシュノブ２０の下側の領域を押下した場合、下側に設けられたプッシュスイッチ４２ｂが押下される。
【００４８】
このように、回転軸３０を上面からみてプッシュノブ２０のほぼ中央を横断する位置に設けることにより、プッシュノブ２０にシーソー的動きを与えることができる。そして、この場合であっても、ノブホルダ（図示せず）の高さ、特に、小径部の高さを抑えることができる。したがって、従来の垂直移動方式に比べ、装置全体を小型化することができる。
【００４９】
なお、この場合における２つのプッシュスイッチ４２ａ，４２ｂは、同一機能（例えば、エアコンの自動運転のＯＮ／ＯＦＦ制御）であっても、別機能（例えば、エアコンの自動運転のＯＮ／ＯＦＦ制御と送風のＯＮ／ＯＦＦ制御など）であってもよい。２つのプッシュスイッチ４２ａ，４２ｂを別機能とすると、省スペースでより多数の機能を提供することができ、スイッチ群全体をより小型化することができる。
【００５０】
また、図５、図６に示すように、回転式スイッチ部の内側に複数のプッシュノブ２０ａ，２０ｂを設けてもよい。
【００５１】
図５、６は、回転式スイッチ部の内側に２つのプッシュノブ２０を設けた場合の概略上面図および概略断面図である。図示の例では、プッシュノブ２０ａ，２０ｂは、上下対象の半円形状であり、２つで略円形を構成するようになっている。このプッシュノブ２０ａ，２０ｂは、回転軸３０ａ，３０ｂ、押下部材３４ａ，３４ｂなどを、それぞれ有している。
【００５２】
このとき、図５に示すように、隣接するプッシュノブ２０ａ，２０ｂのうち、一方のプッシュノブの回転軸は、他方のプッシュノブとの境界近傍に設けられることが望ましい。図５の例では、下側プッシュノブ２０ｂの回転軸３０ｂは、上側プッシュノブ２０ａとの境界近傍に設けられている。そして、上側プッシュノブ２０ａの回転軸３０ａは、境界から離れた上側プッシュノブ２０ａの上端部近傍に設けられている。
【００５３】
このような位置に回転軸を設けることにより、誤操作を低減することができる。すなわち、上側プッシュノブ２０ａを押下したい際に、誤って、下側プッシュノブ２０ｂを押下した場合、その押下位置は、下側プッシュノブ２０ｂの回転軸３０ｂ近傍となりやすい。回転軸３０ｂ近傍を押下操作しても、プッシュノブ２０ｂは回転移動しにくい。したがって、プッシュスイッチ４２ｂも押下されにくくなり、誤操作が発生しにくくなる。
【００５４】
また、図６に示すように、プッシュノブ２０ａ，２０ｂの回転軸３０ａ，３０ｂは、互いに隣接するプッシュノブ２０ｂ，２０ａとの境界近傍に設けてもよい。すなわち、上側プッシュノブ２０ａの回転軸３０ａは下側プッシュノブ２０ｂとの境界近傍に、下側プッシュノブ２０ｂの回転軸３０ｂは上側プッシュノブ２０ａとの境界近傍に設ける。
【００５５】
このように、回転軸３０ａ，３０ｂを互いに隣接するプッシュノブ２０ｂ，２０ａとの境界近傍にもうことにより、誤操作を低減できる。すなわち、通常、押下は、回転軸３０ａ，３０ｂから離れた位置を押下する。図６の例では、上側プッシュノブ２０ａを押下したい場合はプッシュノブ２０ａの上側を、下側プッシュノブ２０ｂを押下したい場合は下側プッシュノブ２０ｂの下側を押下する。つまり、上下プッシュノブ２０ａ，２０ｂで押下する位置が離れているため、誤って、本来の希望とは異なるプッシュノブを押下する可能性が低くなる。また、上側プッシュノブ２０ａを押下したい際に、誤って、下側プッシュノブ２０ｂを押下しても、回転軸３０ａ，３０ｂ近傍を押下することとなり、プッシュスイッチ４２ａ，４２ｂは押下されにくい。
【００５６】
また、図６の例のように、半円形プッシュノブを互いに、直線部を対向させて隣接させる場合においては、境界近傍に回転軸を設けることにより、回転軸を長く取ることができる。これにより、プッシュノブをより安定して支持することができ、ガタ等をより低減できる。
【００５７】
つまり、プッシュノブの回転軸を互いに隣接するプッシュノブとの境界近傍に設けることにより、誤動作が発生しにくく、また、ガタ等をより低減できる。また、図５，図６のいずれの例においても、ノブホルダ（図示せず）の小径部の高さを抑えることができ、スイッチ装置全体として小型化できる。
【００５８】
なお、上述の説明は、一例であり、回転軸の位置は、上述の位置に限定されるものではない。また、プッシュノブの数（押下式スイッチ部の数）も１、または、２に限定されない。３以上であっても、その形状や、回転軸の位置を適宜変更することにより適用可能である。
【００５９】
次に、他の実施の形態について図７を用いて説明する。図７（Ａ）は複合スイッチ装置１０の図１における概略Ａ−Ａ断面図、図７（Ｂ）は図１における概略Ｂ−Ｂ断面図である。図７においては、簡略化のため、回転式スイッチ部および光源などは、省略している。
【００６０】
この実施の形態においては、プッシュノブ２０は、ヒンジ部材７０により支持されている。ヒンジ部材７０は、弾性を備えた材料で形成されており、略コの字形状となっている。このヒンジ部材７０の基端部７４は、ノブホルダ３２の小径部４０と大径部３６とを接続する段差部３８上に固着されている。また、基端部７４の両端から伸びる撓み部７２の上端は、プッシュノブ２０の下面に固着されている。
【００６１】
この押下式スイッチ部１２のプッシュノブ２０を押下した場合、ヒンジ部材７０の撓み部７２が弾性変形により撓む。そして、この撓み部７２に固着されたプッシュノブ２０は、略弧状の動きをする。すなわち、プッシュノブ２０は、基端部７４近傍を回転軸とする回転、または、これに近い動きをし、下方に移動する。言い換えれば、プッシュノブは、押下操作により水平方向の軸を中心とした回転運動、または、これに近い動きをする。そして、これにより、押下部材３４がプッシュスイッチ４２を押下する。
【００６２】
この場合であっても、垂直ガイド機構などを必要としないため、ノブホルダの小径部４０を低くできる。そして、プッシュノブ２０のほぼ全面を表示用光源で照射することができる。これにより、複合スイッチ装置全体の操作性を低下させること無く、小型化が図れる。
【００６３】
つまり、回転軸に替えて、ヒンジ部材７０を用いても、複合スイッチ装置全体の操作性を低下させること無く、小型化が図れる。
【００６４】
なお、上述の説明は、すべて、車両のエアコン制御用スイッチを例として説明したが、適宜、スイッチノブの形状、模様などを変更することにより、他の機器のスイッチ、例えば、車両に搭載されるオーディオ装置のスイッチや家電製品のスイッチなどにも適用できる。
【図面の簡単な説明】
【００６５】
【図１】本発明の実施の形態である複合スイッチ装置の上面図である。
【図２】図１におけるＡ−Ａ断面図である。
【図３】表示用光源から発せられる光の広がりを示す図である。
【図４】回転軸の他の配置例を示す図である。
【図５】回転軸の他の配置例を示す図である。
【図６】回転軸の他の配置例を示す図である。
【図７】本発明の他の実施の形態を示す図である。
【符号の説明】
【００６６】
１０  複合スイッチ装置、１２  押下式スイッチ部、１４  回転式スイッチ部、１６  照射部、２０  プッシュノブ、２２  表示用光源、２６  支持部、２８  支持部材、３０  回転軸、３２  ノブホルダ、３４  押下部材、４２  プッシュスイッチ、５０  ダイヤルノブ、５６  シャトルスイッチ、７０  ヒンジ部材、７２  撓み部、７４  基端部、Ｓ  表示用光源の光。
【図１】
2005141999.tif 000003
【図２】
2005141999.tif 000004
【図３】
2005141999.tif 000005
【図４】
2005141999.tif 000006
【図５】
2005141999.tif 000007
【図６】
2005141999.tif 000008
【図７】
2005141999.tif 000009